(57)【要約】【課題】録画された複数のコンテンツから削除してもよいコンテンツを容易に特定できるようにする。【解決手段】記録媒体２４に記録されたコンテンツ毎に、少なくとも録画日時を含む録画状況を示す情報と、少なくとも再生回数、データ再生率及び最新再生日時情報を含む再生状態を示す情報を付加情報として記録し、それら付加情報の個々に優先度を設定して、コンテンツ毎に並び変えを行なって削除候補あるいは再生候補としてリスト化する。生成されたリストを表示することで、ユーザに削除すべきコンテンツあるいは、削除してもよいコンテンツを優先順位を付して報知する。【選択図】      図４
2004297427.tif 000002
【特許請求の範囲】
【請求項１】
複数のコンテンツデータが記録されると共に、前記記録されたコンテンツ毎に、当該コンテンツを特定するコンテンツ特定情報とコンテンツの記録状況を示す付加情報とが記録された記録媒体から前記コンテンツデータを再生する再生手段と、
前記再生手段によるコンテンツデータの再生状況を示す複数の情報を付加情報として前記コンテンツ毎に前記記録媒体に記録する記録手段と、
前記記録媒体に記録された複数の付加情報を再生して、付加情報毎に所定の優先度を設定し、設定された優先度に基づいて前記複数のコンテンツの優先順位を特定して、その順位に基づいて前記コンテンツ特定情報の並び換えを行う付加情報再生手段と、
前記付加情報再生手段で並び換えられた前記コンテンツ特定情報をそのコンテンツに対応する付加情報と共に表示する表示手段と、
を具備したことを特徴とするコンテンツデータ管理装置。
【請求項２】
前記再生状況を示す複数の情報は、再生回数を示す情報及びデータ再生率を示す情報及び再生日時を示す情報を含み、前記付加情報再生手段は、当該再生回数とデータ再生率と再生日時とに優先順位を設定して前記コンテンツの並び変えを実行するものであることを特徴とする請求項１に記載のコンテンツデータ管理装置。
【請求項３】
前記記録状態を示す情報が記録日時を示す情報を含み、前記付加情報再生手段は、前記再生回数とデータ再生率と再生日時と記録日時とに優先順位を設定して前記コンテンツの並び変えを実行するものであることを特徴とする請求項２に記載のコンテンツデータ管理装置。
【請求項４】
さらに前記再生回数及びデータ再生率及び再生日時の内容に優先度を設定するものであることを特徴とする請求項１乃至３のいずれかに記載のコンテンツデータ管理装置。
【請求項５】
さらに付加情報として、前記記録媒体に記録されたコンテンツデータが、該記録媒体とは異なる記録媒体に記録されているか否かを示す情報を含むことを特徴とする請求項１乃至４のいずれかに記載のコンテンツデータ管理装置。
【請求項６】
前記優先順位を、前記記録媒体に記録されたコンテンツデータの削除を目的として設定し前記表示手段に削除候補リストとして表示するものであることを特徴とする請求項１乃至５に記載のコンテンツデータ管理装置。
【請求項７】
複数のコンテンツデータが記録されると共に、前記記録されたコンテンツ毎に、当該コンテンツを特定するコンテンツ特定情報とコンテンツの記録状況を示す付加情報とが記録された記録媒体から前記コンテンツデータを再生するステップと、
前記再生ステップにおけるコンテンツデータの再生状況を示す複数の情報を付加情報として前記コンテンツ毎に前記記録媒体に記録するステップと、
前記記録媒体に記録された複数の付加情報を再生して、付加情報毎に所定の優先度を設定するステップと、
前記優先度設定ステップによって設定された優先度に基づいて前記複数のコンテンツの優先順位を特定して、その順位に基づいて前記コンテンツ特定情報の並び換えを行うステップと、
前記並び換えられたコンテンツ特定情報をそのコンテンツに対応する付加情報と共に表示するステップと、
を具備したことを特徴とするコンテンツデータ管理方法。
【発明の詳細な説明】
【０００１】
【発明の属する技術分野】
この発明は、記録媒体に記録された複数のコンテンツデータを管理するための管理装置及び管理方法に関し、特に削除してもよいコンテンツを的確に特定してリストとして表示できるようにした装置及び方法に関する。
【０００２】
【従来の技術】
テレビジョン放送の番組を録画しようとする場合、従来では、ＶＴＲ（Ｖｉｄｅｏ  Ｔａｐｅ  Ｒｅｃｏｒｄｅｒ）が一般に使われていたが、昨今では、記録媒体としてＤＶＤ（Ｄｉｇｉｔａｌ  Ｖｅｒｓａｔｉｌｅ  Ｄｉｓｋ）やＨＤＤ（Ｈａｒｄ  Ｄｉｓｋ  Ｄｒｉｖｅ）を用いた録画機器も市販されてきている。
【０００３】
ＤＶＤ、ＨＤＤを記録媒体として用いた機器においては、テープを記録媒体として用いるＶＴＲにはない記録媒体に対するランダムアクセス性を実現する機能を有しており、加えて記録容量の大きな記録媒体を適用することができるという特徴も有している。
【０００４】
例えば、ＨＤＤでは、テレビジョン放送録画用として数百ギガバイトの容量のものも実用に供されており、通常のテレビジョン放送番組では百時間を越える録画が可能であり、高画質放送番組でも数十時間の録画が可能となっている。
したがって、ＨＤＤを記録媒体として適用した録画機器では、安直に録画が実行されることが予測され、その結果、記録媒体には多数の番組が録画されて保存されることになる。
このように録画された番組を再生して視聴するには、通常は、録画番組のリストを画面表示させ、ＧＵＩ（Ｇｒａｐｈｉｃａｌ  Ｕｓｅｒ  Ｉｎｔｅｒｆａｃｅ）を介して視聴したい番組を選択することで、その番組を再生して視聴するという手順を踏むことになる。
【０００５】
ユーザは再生操作を実行する都度、リストを画面表示させてそこから視聴したい番組を選択することになるが、リストには、既に視聴済みの番組も表示されるため、番組数が多くなればなるほど、過去の視聴実績がどうであったかということを記憶していることは難しくなり、番組の選択に迷うことが予想される。
【０００６】
すなわち、多数の録画番組が存在する場合、それをいかに管理するかが重要であり、例えば、どの番組が視聴済みであるか、あるいは全く視聴していないか、また、視聴途中にあるか等をユーザに報知して、ユーザによる視聴番組探索操作の補助材料を提供することが重要である。
【０００７】
さらに、番組として保存しておく必要のない番組であるか否かの判断材料をユーザに与えて、不要番組の削除を実行させれば、管理する番組数が減って管理しやすくなり、加えて記録媒体の記録容量も確保できて好ましい。
以上のように、大容量の記録媒体を備えた録画機器において、録画された番組を管理できれば、操作性が向上するものであるが、従来そのような提案はなされていなかった。
例えば、特許文献１に示すような提案がなされているが、この提案では、記録媒体の記録可能容量が所定以下になった際に、消去するファイルを特定してユーザに知らしめるようにしたものであり、必ずしも使い勝手がいいとはいえない。
【特許文献１】
特開２００２−９３１１９号公報（第４頁［００２３］、図１）
【０００８】
【発明が解決しようとする課題】
以上のように、従来、録画した複数のコンテンツデータをユーザが使い勝手よく管理することができる装置の実現が要望されていた。
本発明は、以上の点に対処してなされたもので、各コンテンツデータに対応させて、そのコンテンツの記録状況及び視聴状況に応じた付加情報を記憶させ、その付加情報に基づいてコンテンツの並び変えを行い、ユーザに削除候補リストあるいは視聴候補リストを提供することができるようにしたものである。
【０００９】
【課題を解決するための手段】
本発明のコンテンツデータ管理装置は、複数のコンテンツデータが記録されると共に、前記記録されたコンテンツ毎に、当該コンテンツを特定するコンテンツ特定情報とコンテンツの記録状況を示す付加情報とが記録された記録媒体から前記コンテンツデータを再生する再生手段と、
【００１０】
前記再生手段によるコンテンツデータの再生状況を示す複数の情報を付加情報として前記コンテンツ毎に前記記録媒体に記録する記録手段と、
前記記録媒体に記録された複数の付加情報を再生して、付加情報毎に所定の優先度を設定し、設定された優先度に基づいて前記複数のコンテンツの優先順位を特定して、その順位に基づいて前記コンテンツ特定情報の並び換えを行う付加情報再生手段と、
【００１１】
前記付加情報再生手段で並び換えられた前記コンテンツ特定情報をそのコンテンツに対応する付加情報と共に表示する表示手段と、
を具備したことを特徴とする。
本発明によれば、記録されたコンテンツデータを複数の付加情報に基づいて、優先順位を設定して並び換えてリストとして表示できるので、ユーザは簡単な操作で、削除すべきコンテンツあるいは削除可能なコンテンツを特定することができるものである。
【００１２】
本発明のコンテンツデータ管理方法は、複数のコンテンツデータが記録されると共に、前記記録されたコンテンツ毎に、当該コンテンツを特定するコンテンツ特定情報とコンテンツの記録状況を示す付加情報とが記録された記録媒体から前記コンテンツデータを再生するステップと、
【００１３】
前記再生ステップにおけるコンテンツデータの再生状況を示す複数の情報を付加情報として前記コンテンツ毎に前記記録媒体に記録するステップと、
前記記録媒体に記録された複数の付加情報を再生して、付加情報毎に所定の優先度を設定するステップと、
前記優先度設定ステップによって設定された優先度に基づいて前記複数のコンテンツの優先順位を特定して、その順位に基づいて前記コンテンツ特定情報の並び換えを行うステップと、
前記並び換えられたコンテンツ特定情報をそのコンテンツに対応する付加情報と共に表示するステップと、
を具備したことを特徴とする。
本発明によれば、記録されたコンテンツデータを複数の付加情報に基づいて優先順位を設定して並び換えてリストとして表示できるので、ユーザは簡単な操作で削除すべきコンテンツツあるいは削除可能なコンテンツを特定することができるものである。
【００１４】
【発明の実施の形態】
以下、図面を参照しながら本発明の実施の形態を詳細に説明する。
図１は、本発明のコンテンツデータ管理装置を搭載したテレビジョン受信機１０の回路ブロック図である。
放送電波をキャッチするアンテナ１１からの高周波信号が入力端子１２を介してチューナ／復調部１３に供給される。チューナ／復調部１３では所望のチャンネルを選局して受信信号を得ると共に、受信信号に復調処理、誤り訂正処理等の処理を施して、多重ストリーム信号としてデマルチプレクサ１４に出力する。チューナ／復調部１３によるチャンネル選局処理は、バス１５を介して接続されるＣＰＵ（Ｃｅｎｔｒａｌ  Ｐｒｏｃｅｓｓｉｎｇ  Ｕｎｉｔ）１６からの制御信号によって実行される。
【００１５】
デマルチプレクサ１４は、ＣＰＵ１６の制御によって多重ストリームから所望の番組のパケットを分離抽出してデコーダ１７に出力する。デコーダ１７は、ＣＰＵ１６の制御の下に、入力される番組のパケットをＭＰＥＧ（Ｍｏｖｉｎｇ  Ｐｉｃｔｕｒｅ  Ｅｘｐｅｒｔｓ  Ｇｒｏｕｐ）２の復号を行なうことで非圧縮のデジタル映像データ及びデジタル音声データに変換し、グラフィック重畳部１８に出力する。
【００１６】
グラフィック重畳部１８には、ＣＰＵ１６の制御によってグラフィックプロセッサ１９で生成されるＯＳＤ（Ｏｎ  Ｓｃｒｅｅｎ  Ｄｉｓｐｌａｙ）映像データも加えられ、ここでデコーダ１７から供給される映像データにＯＳＤ映像データが重畳されてＡ／Ｖ（Ａｕｄｉｏ／Ｖｉｓｕａｌ）エンコーダ２０に供給される。Ａ／Ｖエンコーダ２０では、映像データ及び音声データをＤ／Ａ（Ｄｉｇｉｔａｌ／Ａｎａｌｏｇｕｅ）変換し、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のベースバンド信号に構築して出力部２１に出力する。出力部２１は、例えば映像信号を表示するための液晶ディスプレイ等の表示手段とスピーカ等の音声出力手段を備え、映像の表示と音声の出力を行なう。
【００１７】
ＣＰＵ１６は、システム制御及びＯＳ（Ｏｐｅｒａｔｉｎｇ  Ｓｙｓｔｅｍ）制御を実行する。このためバス１５にメモリ２２が接続され、メモリ２２には、バス１５を介したネットワーク上の制御を始めとする処理プログラム・コードが格納されている。さらにメモリ２２には、システム制御ソフト、ＧＵＩ（Ｇｒａｐｈｉｃａｌ  Ｕｓｅｒ  Ｉｎｔｅｒｆａｃｅ）ソフト、録画制御ソフト等が記憶される他、グラフィックプロセッサ１９でグラフィックとして生成される記号、文字、キャラクタ等のデータも格納されている。
【００１８】
さらに、バス１５に記録再生部２３が接続され、記録再生部２３に記録媒体２４が接続される。記録媒体２４は、例えばＨＤＤ（Ｈａｒｄ  Ｄｉｓｋ  Ｄｒｉｖｅ）で構成され、ＣＰＵ１６の制御の下、記録再生部２３によって駆動されて番組を構成するストリーム形式のコンテンツデータとその付加情報が記録され、かつ記録されたデータと情報が再生される。
【００１９】
付加情報は、番組タイトル、放送時間等の多重ストリームに含まれるデータから得られる番組情報の他、後に詳細に述べるＣＰＵ１６で管理される視聴状況を示す情報を含む。番組情報は、多重ストリームに含まれる放送番組を特定するＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等の情報信号をデマルチプレクサ１４で分離抽出してメモリ２２に記憶させ、それを読み出してＣＰＵ１６で解析することで得られる。すなわち、解析の結果、番組タイトル、放送時間等の番組情報が生成され、それが、バス１５を介して記録再生部２３に供給されて記録媒体２４に記録される。
【００２０】
記録媒体２４に記録される付加情報は、ＣＰＵ１６上に実装されるＯＳの一部としてのファイルシステム（例えば、ＭＳ−ＤＯＳ（Ｍｉｃｒｏｓｏｆｔ  Ｄｉｓｋ  Ｏｐｅｒａｔｉｎｇ  Ｓｙｓｔｅｍ）（登録商標）のＦＡＴ（Ｆａｉｌｅ  Ａｌｌｏｃａｔｉｏｎ  Ｔａｂｌｅ））を通してファイル形式で管理される。したがって、記録媒体２４へコンテンツデータ及び付加情報を記録するということは、ファイルへデータを書き込む処理を実行することであり、その際、ＦＡＴで扱うデータ容量、記録日時といった属性情報も一緒に記録される。また、記録媒体２４に記録されたコンテンツデータあるいは付加情報を再生するということは、ファイルを特定してそのファイルからデータを読み出すということである。したがって、記録から再生までの一連の処理は、ＯＳ上で動作するアプリケーション・ソフトウェア、ファームウェア、ドライバソフトウェアによって実現される。
【００２１】
記録媒体２４に記録された付加情報は、再生されてグラフィックプロセ１９でＧＵＩ対応のリストとして構築し、グラフィック重畳部１８で映像データに重畳して出力部２１で表示することができる。
さらにまた、テレビジョン受信機１０は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４シリアルバス規格に準拠した１３９４インターフェース２５を備え、この１３９４インターフェース２５は、端子２６を介して外部の録画再生機器２７に接続されている。
【００２２】
録画再生機器２７は、１３９４インターフェース２５から端子２６を介して送られるコンテンツデータのストリームを記録するものであり、そのストリームはチューナ／復調部１３で受信、復調され、デマルチプレクサ１４で分離されたものであるか、あるいは、記録媒体２４で再生され、デマルチプレクサ１４を介して送出されるものである。
【００２３】
記録媒体２４で再生されたコンテンツデータを録画再生機器２７で録画するということは、いわゆるダビングを行なうことであり、コンテンツによっては著作権保護のためにダビングを禁止しているものもあり、ＣＰＵ１６がそれを解析して録画を管理する。
【００２４】
さらに、テレビジョン受信機１０は、リモートコントローラ２８からの赤外線リモコン信号を受信する赤外線受光部２９を有する。リモートコントローラ２８は、ユーザによって操作され、テレビジョン受信機１０の各動作の設定、機能の切換え等を行なうためのリモコン信号を送信する。送られたリモコン信号は赤外線受光部２９で受信されＣＰＵ１６に送られ、ＣＰＵ１６で復号されて、動作設定、機能の切換えのための制御信号として出力される。
【００２５】
以上のように構成されたテレビジョン受信機１０において、所望の番組の録画を行なうには、まず、ユーザはリモートコントローラ２７を操作して、ＥＰＧ（Ｅｌｅｃｔｒｉｃ  Ｐｒｏｇｒａｍ  Ｇｕｉｄｅ）を出力部２１で表示させて録画したい番組を選択することで録画予約を行なう。
【００２６】
ＥＰＧデータはＣＰＵの制御の下、デマルチプレクサ１４で分離抽出され、さらにＣＰＵ１６で解析されて、グラフィックプロセッサ１９に供給され、ここで番組表として構築されてグラフィック重畳部１８で映像データに重畳される。
ユーザは、リモートコントローラ２７のカーソルキーを操作して、画面に表示された番組表の中から、録画したい番組を選択し、決定キーを操作することで録画予約が成立し、録画予約された番組のデータは、メモリ２２に記憶される。
ＣＰＵ１６は、メモリ２２に記憶された予約番組データを監視し、予約番組の放送開始に先立って、チューナ／復調部１３を駆動して予約番組を放送するチャンネルの選局を実行する。予約番組の放送が開始されたら、それをデマルチプレクサ１４で分離抽出して、バス１５と記録再生部２３を介して記録媒体２４に供給して記録する。
【００２７】
その際、その番組のタイトル、放送時間データをデマルチプレクサ１４で抽出されたＰＳＩ／ＩＳから得、それをそのコンテンツの付加情報として記録媒体２４に記録する。すなわちＦＡＴのファイル管理システムに則って、コンテンツデータと付加情報を記憶する。記録が、ＦＡＴの管理下におかれるため、付加情報として記録された時間情報と記録データ量も同時に記録される。以上のようにして、記録媒体２４には、番組のコンテンツデータと付加情報が順次記録されていく。
【００２８】
記録媒体２４に録画されたコンテンツを再生するには、ユーザは、リモートコントローラ２７を操作して、再生を行わせるためのリモコン信号を送信する。テレビジョン受信機１０は赤外線受光部２９でそれを受けて、ＣＰＵ１６で復号し、バス１５を介して記録再生部２３に制御信号を送る。
【００２９】
記録再生部２３は記録媒体２４から全ての番組に対応する付加情報を再生して、バス１５を介してＣＰＵ１６に送り、ＣＰＵ１６は、再生された付加情報に基づいて、グラフィックプロセッサ１９で記録媒体２４に記録された全ての番組の少なくとも番組タイトルを有するＧＵＩ対応の番組リストを構築して、グラフィック重畳部１８に供給する。
【００３０】
グラフィック重畳部１８で映像データに重畳された番組リストは、ＡＶエンコーダ２０でアナログ信号に変換されると共に、標準テレビジョン信号に変換されて出力部２１で表示される。
ユーザは、リモートコントローラ２７を操作して、表示された番組リストから、視聴したい番組を選択する。それによって、ＣＰＵ１６は、選択された番組のコンテンツデータを記録媒体２４から再生するように記録再生部２３を制御し、コンテンツデータが再生される。
【００３１】
再生されたコンテンツデータは、バス１５を介してデマルチプレクサ１４に取り込まれ、デマルチプレクサ１４からデコーダ１７に供給されてＭＰＥＧ２の復号が行われ、グラフィック重畳部１８、ＡＶエンコーダ２０を介して出力部２１に導かれ、映像が表示されると共に音声が出力される。
【００３２】
さらにまた、リモートコントローラ２８の操作によって、再生されたコンテンツデータを、デマルチプレクサ１４から１３９４インターフェース２５を介して端子２６に導出し、録画再生機器２７で録画することも可能である。
次に、そのようにして再生される番組コンテンツを管理する手順について説明する。本発明では、番組コンテンツが再生される際、その視聴状況をＣＰＵ１６で監視し、その情報を記録媒体２４に付加情報として記録する。
視聴状況を示す情報としては、具体的には、例えば、その番組コンテンツを何回再生したかを示す再生回数、その番組コンテンツの全データの内、何％のデータを再生したかを示すデータ再生率、再生を行った日時を示す情報及び再生をどのようなモードで行ったかを示す再生モードの情報（記録時と同じ速度で再生する通常再生モードと、記録時よりも早い速度で再生する倍速再生モードを含む）を有する。
【００３３】
再生コマンドが実行される毎に、それら視聴状況を示す情報は、必要に応じて更新される。再生回数は、その番組コンテンツの全データの再生を完了しなくとも、再生コマンドを実行したら１回再生したとするもので、ＣＰＵ１６内の計数機能で処理する。データ再生率は、新規に再生した場合には、再生を終了した時点のデータ再生率が視聴状況情報としてそのまま扱われるが、その番組コンテンツの以降の再生時には、よりデータ再生率が高くなった場合に限って、更新されるように構成される。さらに、再生日時は、再生コマンドが実行される都度更新され、再生モードについては、通常再生モードと倍速再生モードの回数が計数される。
【００３４】
以上のような、視聴状況を示す情報に、録画時の情報、すなわち、録画日時、録画時間（番組が何時間番組であるかという情報）及び録画モードすなわち、標準録画モードであるか長時間録画モードであると言う情報と、さらに記録媒体２４に記録した番組コンテンツデータが外部の録画再生機器２７で録画済みか否かという情報を組み合わせて、番組コンテンツを管理する情報として使用する。
【００３５】
番組コンテンツの削除候補リストを生成する処理を例にとって説明する。この場合、各情報をリスト作成のためのアイテムとし、各アイテム毎に、その内容について削除候補とするための条件を設定して優先度を付すと共に、各アイテムそのものに優先順位を付して、各番組コンテンツの削除を許容するための最終的な順位付けを行う。
【００３６】
各アイテム毎に設定される条件について例を挙げて説明すると、「再生回数」では、それが多い程、頻繁に視聴されるということで、重要な番組であり、削除の優先度としては低く、再生回数が少ないということは、ユーザにとって重要でない番組であって削除の優先度は高いものとする。
【００３７】
また、「データ再生率」は、低い程、その番組コンテンツの全てのデータが再生されていないことであってこれから引き続き視聴される可能性が高いため、削除の優先度は低く、逆に既に１００％再生済みであるすると優先度は高いものとして扱う。
【００３８】
［最新再生日時］では、極最近視聴されたということは、再度視聴される可能性が高いと判断して優先度が低いものとして扱い、再生された日時が古ければ、視聴される可能性がより低いとして優先度を高くする。
［録画日時］では、新しく録画された方が今後視聴される可能性が高いため優先度が低く、録画された日時が古いほど優先度が高いものとする。
［録画時間］では、長時間番組であればあるほど、優先度を低くし、短時間番組では、重要性はさほど高くないとして削除の優先度を高くする。
［再生モード］では、通常再生で再生した場合を、より重要な番組を再生したものとして優先度を低くし、倍速で再生した場合を優先度を高くする。
［録画モード］では、標準モードで記録した番組をより重要な番組として捕らえ、優先度を低くし、長時間モードで録画した番組の優先度を高くする。
さらに、［外部録画機器での録画の有無］では、録画済みでない場合を優先度が低く、録画済み（ダビング済み）の場合には、優先度が高いものとする。
以上のような、各アイテム毎の内容に対する条件付けと、データの更新時期及び更新方法について図２に示す。各アイテムの内容の優先度の条件については前述のとおりであり、データの更新時期は、［再生回数］が再生開始時であり、つまり再生コマンドが実行された直後に、１回再生されたとしてカウントアップされる。
【００３９】
［データ再生率］では再生終了時に、最初の再生ではそこまでのデータ再生率を記録し、２回目以降の再生では、前回までのデータ再生率を上回った場合にデータを更新する。
［再生日時］では、再生開始時に都度データを更新し、［録画日時］は録画開始時にデータが記録され、更新されることはない。また、［録画時間］は録画終了時にデータが記録され、これも更新されることはない。
［再生モード］では、［再生回数］と関連付けられて更新されるものであり、再生開始時に、設定されている再生モードに応じて、通常再生あるいは倍速再生の回数がカウントアップされる。
［録画モード］では、録画開始時に、標準モードか、長時間モードかのデータが記録され、更新されることはない。
さらに、［外部録画機器での録画の有無］では、外部録画機器でのダビングが実行されるときに、その旨を示すデータがされる。
以上のような各アイテムは、その全てが用いられ、あるいはそれらの内のどれかが選択され、さらに選択されたアイテム間で優先順位が付され、番組の順位付けに用いられる。
例えば、再生回数とデータ再生率とを再生日時選択し、それらを図３に示すように［再生回数］が最も優先順位が高く、［データ再生率］、［再生日時］の順とすることも可能である。すなわち、図３の場合には、再生回数の多少で一義的に順位付けがなされ、再生回数が同じ場合には、データ再生率で順位付けがなされ、データ再生率が同じ場合には、再生日時で順位が決定される。
【００４０】
図２のように各アイテムの条件付けがなされ、さらにそれらアイテムから図３に示すアイテムが選択され、かつアイテム間で優先順位が付された場合に、実際に生成される削除候補リストの例を図４に示す。
図４において、順位は削除候補の優先順位を示すものであり、順位１は、最も削除してもよい番組コンテンツであることを示している。タイトルは番組タイトルであり、ソースはその番組を放送したチャンネル番号であり、録画日時は録画が行われた日時、すなわちその番組の放送が行われた時刻であり、録画時間は録画開始から終了までの時間である。
【００４１】
また、録画モードは、長時間モードて録画されたか、標準モードで行われたかを示し、再生回数は、再生の回数で、通常再生回数と倍速再生回数に分かれる。最新再生日時及びデータ再生率は、そのまま最新の再生日時とデータ再生率であり、外部記録は録画機器２７でのダビングの有無を示す情報である。
【００４２】
図４の例では、順位１の番組コンテンツは、再生回数が最も少なくそれによって順位が１とされている。また、順位２と３の番組は、再生回数が同じであるが、データ再生率に差があってそれによる順位付けがなされ、順位４と５は、再生回数、データ再生率とも同じであるが、再生日時による順位付けがなされた結果の順位である。なお、図４の例では、８番組がリストとして表になっているが、リストの番組の数は、当然ながら録画された番組数によって変わってくるものである。
【００４３】
図２と図３に示す条件で、リスト化した場合、再生回数が少なく、既にデータが１００％再生済みの番組が、最も削除可能な番組として表示されることになり、ユーザは、順位の高い番組から順に削除していくことができ、どの番組を削除すべきかをユーザが熟慮する必要がないため、操作性が向上するものである。
【００４４】
なお、削除候補リストを生成するためのアイテムは、図３に示すものに限定されるものではなく、［再生日時］に代えて、［録画日時］を選択してもよいし、［録画時間］を加えてもよい。さらには［外部録画の有無］を加えてもよい。また、各アイテム間の優先順位も、図３のものに限定されるものではなく、［外部録画の有無］を最も優先度の高いアイテムに設定することも可能である。
【００４５】
さらに、図４のリストは、削除候補リストとして利用できるばかりでなく、視聴番組候補リストとしても利用することができるものである。すなわち、データ再生率を見て、視聴が完了していない番組がどれであるかかが容易にわかるため、ユーザの選択を助けることになるものである。なお、視聴番組候補リストとしては、図４のリストの順位を逆にして、削除候補の優先順が最も低い番組が順位１になるように番組を並べ変えるようにしてもよく、あるいはデータ再生率の低い順に並べてもよいし、それは自由に設定することが可能である。
【００４６】
図４のリストを生成するための処理の手順を図５のフローチャートでさらに説明する。
図５において、ステップ５ａで開始され、ステップ５ｂで再生実績のあるファイル（番組コンテンツデータ）があるか否かの判断がなされ、再生実績のあるファイルがある場合には、ステップ５ｃでそれらのファイルを再生回数の少ない順に並べ変える。
【００４７】
次いで、ステップ５ｄで同じ再生回数のファイルがあるか否かの判定がなされ、ある場合には、ステップ５ｅでデータ再生率の高い順にファイルを並べ変える。
次いで、ステップ５ｆでデータ再生率の同じファイルがあるか否かの判定がなされ、ある場合には、ステップ５ｇで再生日時の古い順にファイルを並べ変える。次いで、ステップ５ｈで並べ変えられたファイルリストを削除候補リストとして表示して、ステップ５ｉで終了となる。
【００４８】
ステップ５ｄで再生回数の同じファイルがないと判定されたら、ステップ５ｈに移り、ステップ５ｃで並び換えたファイルリストをそのまま削除候補リストとして表示する。さらに、ステップ５ｆで同一データ再生率のファイルがないと判定されたら、ステップ５ｈに移り、ステップ５ｅで並び換えたファイルリストをそのまま削除候補リストとして表示する。さらに、ステップ５ｂで再生実績のあるファイルがないと判定されたら、何ら処理をすることなくステップ５ｉで終了となる。
【００４９】
以上説明した処理手順においては、再生実績の全くない録画番組については、削除候補から完全に除外しているが、そのように構成すると、録画はしたものの一度も視聴しない番組が、永久に保存されることになり、好ましくない事態になることも予測される。
【００５０】
したがって、視聴実績のない録画番組も削除候補リストに載るように構成した方が好ましい場合もあり、その場合には、図６に示すように、図３に示すアイテムにさらに録画日時を追加し、アイテム間の優先順位は最も低い順とすることで、各番組を順次付けすることが可能である。
【００５１】
図６のアイテムを用いた場合の、処理手順を図７のフローチャートに示す。図７において、ステップ７ａで開始され、ステップ７ｂで再生実績のあるファイル（番組コンテンツデータ）があるか否かの判定がなされ、再生実績のあるファイルがない場合には、ステップ７ｃに移って録画が行われた日時の古い順にファイルを並べ変えて、ステップ７ｊに移って、並び換えたファイルリストを削除候補リストとして表示し、ステップ７ｒで終了となる。
【００５２】
ステップ７ｂで再生実績のあるファイルがあると判定された場合には、ステップ７ｄに移って再生実績のないファイルを含むか否かの判定がなされ、再生実績のないファイルを含まない場合には、ステップ７ｅで再生回数の少ない順にファイルを並べ変える。
【００５３】
次いで、ステップ７ｆで同じ再生回数のファイルがあるか否かの判定がなされ、ある場合には、ステップ７ｇでデータ再生率の高い順にファイルを並べ変える。
次いで、ステップ７ｈでデータ再生率の同じファイルがあるか否かの判定がなされ、ある場合には、ステップ７ｉで再生日時の古い順にファイルを並べ変える。次いで、ステップ７ｊで並べ変えられたファイルリストを削除候補リストとして表示して、ステップ７ｒで終了となる。
【００５４】
ステップ７ｆで再生回数の同じファイルがないと判定されたら、ステップ７ｊに移り、ステップ７ｄで並び換えたファイルリストをそのまま削除候補リストとして表示する。さらに、ステップ７ｈで同一データ再生率のファイルがないと判定されたら、ステップ７ｊに移り、ステップ７ｇで並び換えたファイルリストをそのまま削除候補リストとして表示する。
【００５５】
ステップ７ｄで再生実績のないファイルを含むと判定されたら、ステップ７ｋで、再生実績のないファイルを録画が行われた日時の古い順に並べ変え、次いでステップ７ｌで再生実績のあるファイルを再生回数の少ない順に並べ変える。
次いで、ステップ７ｍで同じ再生回数のファイルがあるか否かの判定がなされ、ある場合には、ステップ７ｎでデータ再生率の高い順にファイルを並べ変える。
次いで、ステップ７ｏでデータ再生率の同じファイルがあるか否かの判定がなされ、ある場合には、ステップ７ｐで再生日時の古い順にファイルを並べ変える。次いで、ステップ７ｑで、ステップ７ｋで並び変えた再生実績のないファイルと、ステップ７ｏで並び変えた再生実績のあるファイルを結合して削除候補リストとして表示して、ステップ７ｒで終了となる。
【００５６】
ステップ７ｍで再生回数の同じファイルがないと判定されたら、ステップ７ｑに移り、ステップ７ｋで並び換えたファイルリストとステップ７ｌで並び換えたファイルリストを結合して削除候補リストとして表示する。さらに、ステップ７ｏで同一データ再生率のファイルがないと判定されたら、ステップ７ｑに移り、ステップ７ｋで並び換えたファイルリストとステップ７ｎで並び換えたファイルリストを結合して削除候補リストとして表示する。
【００５７】
図７のフローチャートで示す処理によれば、再生実績のない番組も削除候補としてリスト表示されるので、長時間に亘って全く再生されないまま保存されている番組を見逃してそのまま保存してしまうということを防止することができるものである。
【００５８】
また、図７のフローチャートによれば、図５に示す処理に比べて、全く視聴されていない番組もリスト表示されるために、これを視聴候補番組リストとして利用する場合にも利用価値が高くなるものである。
図８は、各データの更新処理をも加えた全体の処理を示すフローチャートである。図８において、ステップ８ａで開始され、ステップ８ｂで再生モードが設定されたか否かの判定がなされ、その処理が再生モードが設定されるまで継続される。再生モードが設定されたら、ステップ８ｃで再生回数が１加算される。このとき初回の再生であったら、再生回数は１になる。
【００５９】
次に、ステップ８ｄでファイルを再生回数の少なく順に並び換え、次いでステップ８ｅで同じ再生回数のファイルが存在するか否かの判定がなされ、同じ再生回数のファイルが存在する場合、次にステップ８ｆに移って再生モードが終了したか否かの判定が行われる。ステップ８ｆの処理は、再生モードが終了するまで継続され、再生が終了したらステップ８ｇでそのファイルのその時点のデータ再生率が過去の再生の結果による記録済みのデータ再生率より高いか否かの判定がなされる。
【００６０】
データ再生率が過去のデータ再生率より低いと判定された場合には、ステップ８ｈに移って、データ再生率の高い順にファイルを並べ変える。ステップ８ｇでデータ再生率が過去のデータ再生率より高いと判定されたら、ステップ８ｉに移って、データ再生率のデータを更新してから、ステップ８ｈでデータ再生率の高い順に並べ変えを行う。初回の再生では、過去のデータ再生率は０％であり、当然ながらデータ再生率は高いと判定される。
【００６１】
次に、ステップ８ｊで同一再生率のファイルがあるかないかの判定がなされ、ある場合には、ステップ８ｋで再生日時の古い順にファイルが並び変えられる。次いで、ステップ８ｌで並び換えたファイルを削除候補リストとして表示して、ステップ８ｍで終了となる。
【００６２】
ステップ８ｅで再生回数の同じファイルがないと判定されたら、ステップ８ｌに移り、ステップ８ｄで並び換えたファイルリストをそのまま削除候補リストとして表示する。さらに、ステップ８ｊで同一データ再生率のファイルがないと判定されたら、ステップ８ｌに移り、ステップ８ｈで並び換えたファイルリストをそのまま削除候補リストとして表示する。
【００６３】
以上のように、再生モードが実行される都度、再生回数の更新が行われると共に、再生終了時において、データ再生率が過去の実績より高い場合には、そのデータの更新が行われ、再生回数、データ再生率及び再生日時に応じたファイルの並び換えが行われて削除候補リストとして表示されるものである。
【００６４】
なお、図８においては、ステップ８ｌは、自動的に実行されるものであるが、フアィルの並び変えを行ってそのリストを記録媒体２４に記録しておき、後にユーザの指示によってそれを読み出して削除候補リストとして表示するように構成してもよいことは述べるまでもない。
【００６５】
以上のように本発明のコンテンツデータ管理装置によれば、録画した番組コンテンツに対して、再生回数、データ再生率及び再生日時を含む視聴状況情報を録画時の情報と共に、付加情報として記録媒体２４に記録するようにし、それら付加情報に優先度を付してファイルの並び換えを行って削除候補リストを生成するようにしたため、削除すべきあるいは削除してもよい番組コンテンツを簡単に選択することができるようになり、コンテンツの管理を適正かつ簡単に行うことができるものである。
【００６６】
【発明の効果】
以上のように、本発明によれば、録画したコンテンツに対して、その録画状況及び再生情報を付加情報として記録し、付加情報に優先度を付してファイルの並び換えを行って削除候補あるいは再生候補リストを生成して表示するようにしたので、削除すべきあるいは削除してもよいコンテンツを簡単に特定でき、また再生すべきコンテンツも簡単に特定することがるため操作性が向上するものである。
【図面の簡単な説明】
【図１】本発明のコンテンツ管理装置の一実施の形態を備えたテレビジョン受信機の回路ブロック図。
【図２】本発明のコンテンツ管理装置の動作を説明するための図。
【図３】本発明のコンテンツ管理装置の動作を説明するための図。
【図４】本発明のコンテンツ管理装置によって生成される削除候補リストの一例を示す図。
【図５】本発明のコンテンツデータ管理装置の動作を説明するためのフローチャート。
【図６】本発明のコンテンツデータ管理装置の他の実施の形態を説明するための図。
【図７】本発明のコンテンツデータ管理装置の他の実施の形態の動作を説明するためのフローチャート。
【図８】本発明のコンテンツデータ管理装置の動作を説明するためのフローチャート。
【符号の説明】
１０…テレビジョン受信機
１１…アンテナ
１２…入力端子
１３…チューナ／復調部
１４…デマルチプレクサ
１５…バス
１６…ＣＰＵ
１７…デコーダ
１８…グラフィック重畳部
１９…グラフィックプロセッサ
２０…Ａ／Ｖエンコーダ
２１…出力部
２２…メモリ
２３…記録再生部
２４…記録媒体
２５…１３９４インターフェース
２６…端子
２７…録画再生機器
２８…リモートコントローラ
２９…赤外線受光部
【図１】
2004297427.tif 000003
【図２】
2004297427.tif 000004
【図３】
2004297427.tif 000005
【図４】
2004297427.tif 000006
【図５】
2004297427.tif 000007
【図６】
2004297427.tif 000008
【図７】
2004297427.tif 000009
【図８】
2004297427.tif 000010